(57)【要約】【課題】小型化、低背化に優れ、且つカード状電子回路素子の装着、取り外しがワンタッチで簡単にできるようにした電子回路素子接続具を提供する。【解決手段】底壁、該底壁の前方端部に形成される前端壁、前記底壁の左右両側端部に形成される第１の側壁と第２の側壁、前記底壁の後方端部において前記第１の側壁及び前記第２の側壁の間で前後方向に移動可能に設けられたボタン、及び該ボタンを前方に付勢するボタン押さえバネを含み、前記底壁には、複数のコンタクトが配置され、前記前端壁には、少なくとも１つの押さえ部材が設けられ、前記ボタンの前面には、前方に向けて下方に傾斜する傾斜面及び該傾斜面に続く水平段部が形成されている。【選択図】図１
2007141614.tif 000002
【特許請求の範囲】
【請求項１】
電子回路素子を電子機器に接続する電子回路素子接続具であって、
底壁、該底壁の前方端部に形成される前端壁、前記底壁の左右両側端部に形成される第１の側壁と第２の側壁、前記底壁の後方端部において前記第１の側壁及び前記第２の側壁の間で前後方向に移動可能に設けられたボタン、及び該ボタンを前方に付勢するボタン押さえバネを含み、
前記底壁には、複数のコンタクトが配置され、
前記前端壁には、少なくとも１つの押さえ部材が設けられ、
前記ボタンの前面には、前方に向けて下方に傾斜する傾斜面及び該傾斜面に続く水平段部が形成されていることを特徴とする電子回路素子接続具。
【請求項２】
前記第１の側壁及び前記第２の側壁には、それぞれ、第１の案内溝及び第２の案内溝がさらに形成され、
前記ボタンの左右両側部には、第１の突部及び第２の突部がさらに形成され、
前記第１の案内溝に前記第１の突部が、前記第２の案内溝に前記第２の突部が嵌合し、前記ボタンの前後方向の移動を案内することを特徴とする請求項１に記載の電子回路素子接続具。
【請求項３】
前記ボタン押さえバネは、前記ボタンの後方への移動を規制するように前記第１の側壁及び前記第２の側壁に取り付けられていることを特徴とする請求項１または２に記載の電子回路素子接続具。
【請求項４】
前記ボタン押さえバネは、前記ボタンの後方への移動を規制するように前記底壁の左右両側部に取り付けられていることを特徴とする請求項１または２に記載の電子回路素子接続具。
【請求項５】
前記第１の側壁及び前記第２の側壁には、それぞれの中間部に、対向する一対の係合部材が設けられていることを特徴とする請求項１乃至４のいずれかに記載の電子回路素子接続具。
【発明の詳細な説明】
【技術分野】
【０００１】
本発明は、ＩＣカードやＩＣパッケージのような電子回路素子を、携帯電話機、カメラなどの電子機器と電気的に接続し、機械的に固定する、カードコネクタやＩＣソケットのような接続具に関し、特に、電子回路素子をワンタッチで接続具に固定し、または該接続具から解除することができる電子回路素子接続具に関する。
【背景技術】
【０００２】
携帯電話機、カメラなどの電子機器においては、ＣＰＵあるいはメモリ用のＩＣが内蔵されたＩＣカードやＩＣパッケージのような電子回路素子を装着することで、各種の機能拡張を行うようにしている。
【０００３】
ＩＣカード及びＬＧＡパッケージやＢＧＡパッケージなどを含むＩＣパッケージのような電子回路素子を電子機器に対して着脱自在に装着するためのカードコネクタやＩＣソケットのような接続具においては、電子回路素子と電子機器を電気的に接続させる複数のコンタクトが接続具内に配されている。該コンタクトは、一端で、接続具が取り付けられる電子機器側の各種信号処理回路及び電源回路などと接続され、他端で、接続具に装着される電子回路素子の表面または裏面に形成された複数の外部接点と接触する。
【０００４】
この種接続具としては、特許文献１及び２に示されるように、電子回路素子を斜め上方から装着する接続具が知られている。
【０００５】
特許文献１に示される接続具は、コンタクトを有するベースと該ベースに回転可能でＩＣカードを保持するカバーを備えている。カバーは、ハートカムを利用したロック機構を介してワンタッチでベースに固定または解除される。
【０００６】
特許文献２には、カードが直接ハウジングに固定または解除され得る、カバーが省略された接続具が開示されている。
【０００７】
【特許文献１】特開平１１−２２４７２４号公報
【特許文献２】特開平１１−２４２９７２号公報
【発明の開示】
【発明が解決しようとする課題】
【０００８】
特許文献１に開示される接続具は、カバー及び該カバーをロックする機構が存在するため、構造が複雑となり、部品点数が多く、且つ電子機器やＩＣカードの小型化に伴う接続具自体の小型化、低背化も難しい。
【０００９】
特許文献２に開示される接続具は、カバーが省略され、ＩＣカードが直接接続具に装着される分接続具の小型化、低背化に優れているが、ＩＣカードの装着、取り外しのいずれにおいても、指先でＩＣカード自体を操作しなければならず、困難性が伴う。
【００１０】
本発明の目的は、小型化、低背化に優れ、且つカード状電子回路素子の装着、取り外しがワンタッチで簡単にできるようにした電子回路素子接続具を提供することにある。
【課題を解決するための手段】
【００１１】
上記目的を達成するために、本発明に係る電子回路素子を電子機器に接続する電子回路素子接続具は、底壁、該底壁の前方端部に形成される前端壁、前記底壁の左右両側端部に形成される第１の側壁と第２の側壁、前記底壁の後方端部において前記第１の側壁及び前記第２の側壁の間で前後方向に移動可能に設けられたボタン、及び該ボタンを前方に付勢するボタン押さえバネを含み、前記底壁には、複数のコンタクトが配置され、前記前端壁には、少なくとも１つのカード押さえ部材が設けられ、前記ボタンの前面には、前方に向けて下方に傾斜する傾斜面及び該傾斜面に続く水平段部が形成されていることを特徴とする。
【００１２】
また、本発明に係る電子回路素子接続具は、前記第１の側壁及び前記第２の側壁には、それぞれ、第１の案内溝及び第２の案内溝がさらに形成され、前記ボタンの左右両側部には、第１の突部及び第２の突部がさらに形成され、前記第１の案内溝に前記第１の突部が、前記第２の案内溝に前記第２の突部が嵌合し、前記ボタンの前後方向の移動を案内することが好ましい。
【００１３】
さらに、本発明に係る電子回路素子接続具は、前記ボタン押さえバネが、前記ボタンの後方への移動を規制するように前記第１の側壁及び前記第２の側壁に取り付けられていてもよいし、前記底壁の左右両側部に取り付けられていてもよい。
【００１４】
さらに、本発明に係る電子回路素子接続具は、前記第１の側壁及び前記第２の側壁には、それぞれの中間部に、対向する一対の係合部材が設けられていてもよい。
【発明の効果】
【００１５】
本発明に係る電子回路素子接続具は、底壁、前端壁、第１の側壁と第２の側壁、及びボタンで形成されるカード収容空間内にＩＣカードのようなカード状電子回路素子を直接上方から装着できるように構成されているので、カバーや上壁などなどが省略されている分、部品点数が少なくなるとともに、接続具自体の小型化、低背化に優れている。
【００１６】
また、電子回路素子の一方の端部をカード押さえ部材に引っ掛け、他方の端部を下方に押し下げるだけで、電子回路素子を接続具に簡単に装着できる。さらに、実質的にボタンを後退させるだけで、電子回路素子は、装着時と同様に、一方の端部を押さえ部材に引っ掛け、傾斜した状態になるので、電子回路素子を接続具から簡単に取り外せる。
【００１７】
また、上述したように、電子回路素子を容易に装着、取り外しが簡単にできることで、装着、取り外しための余分なスペースを必要とせず、電子機器全体を含めた小型化も可能である。
【発明を実施するための最良の形態】
【００１８】
以下、本発明に係る電子回路素子接続具の実施態様に付き、図１乃至図５を用いて説明する。図１は、本発明に係る第１の実施態様としてのカードコネクタの概略上面図である。図２は、図１のカードコネクタのボタン及びボタン押えバネの組み立てを説明するための概略斜視図である。図３は、電子回路素子としてのＩＣカードを図１のカードコネクタに装着する様子を説明するためのカードコネクタの概略斜視図であり、（ａ）は、ＩＣカードがカードコネクタに差し込まれたとき、（ｂ）は、ＩＣカードが上面から押し込まれたとき、（ｃ）は、ＩＣカードがカードコネクタに装着されたときを示す。図４は、ＩＣカードを図１のカードコネクタに装着するときのボタンの移動の様子を説明するための要部拡大断面図であり、（ａ）は、ＩＣカードがカードコネクタに差し込まれたとき、（ｂ）は、ＩＣカードが上面から押し込まれ、ボタンが移動する直前、（ｃ）は、ＩＣカードがボタンを移動させ、カードコネクタ内に完全に押し込まれたとき、（ｄ）は、ＩＣカードがカードコネクタに装着されたときを示す。図５は、電子回路素子としてのＩＣカードを装着したカードコネクタが携帯電話機に装填されている状態を示す概略斜視図である。図６は、本発明に係る第２の実施態様としてのＩＣソケットの概略斜視図である。図７は、図６に示されるＩＣソケットのＡ−Ａ概略断面図である。
【００１９】
なお、本明細書の以下の説明において、「左」、「右」は、それぞれ、図１において左側、右側を表し、「前」又は「末端」は、図１において下側を表し、「後」又は「基端」は、図１において上側を表す。
【００２０】
（第１の実施態様）
本実施態様における電子回路素子接続具が、図１に示される。本実施態様における電子回路素子接続具は、電子回路素子としてのＩＣカード６０が装着されるカードコネクタ１０である。
【００２１】
本実施態様におけるカードコネクタ１０は、図５に示されるように、例えば、携帯電話機のような電子機器８０の機器本体８１内に、ＩＣカード６０を交換できるように設置される。なお、８２は、スライド式の蓋である。
【００２２】
カードコネクタ１０は、図１に示されるように、概略、複数のコンタクト３０、ボタン４０及びボタン押さえバネ５０を含んでいる。
【００２３】
カードコネクタ１０は、底壁１２、該底壁１２左右端部から上方に延在する第１の側壁１４及び第２の側壁１５、及び底壁１２の前端から上方に延在する前端壁１６を有し、これらの壁１２、１４、１５、１６及び底壁１２の後端部に設けられるボタン４０とでＩＣカード６０（図３（ａ）〜（ｃ）参照）を収容するカード収容空間を形成している。
【００２４】
底壁１２には、装着されるＩＣカード６０の外部接点に対応して、底壁１２を貫通する複数の長孔１３が平行に形成される。本実施態様においては、長孔１３は、底壁１２の末端側及び基端側に２列平行に形成されている。各長孔１３に複数のコンタクト３０それぞれが配置される。基端側長孔１３に配置されるコンタクト３０は、底壁１２に形成される固定溝２２（図２参照）を介してカードコネクタ１０に固定、支持される。
【００２５】
第１の側壁１４後方には、図１に示されるように、底壁１２を覆って、ＩＣカード６０の切欠部６１に対応する斜面部１７ａを有する第１の案内部材１７がカード収容空間に向けて突出形成されている。第１の案内部材１７は、第１の側壁１４及び底壁１２と一体に形成される。第１の案内部材１７の傾斜部１７ａは、第１の案内部材１７の末端側に位置し、第１の側壁１４に対して傾斜し、底壁１２に対して垂直をなしている。該第１の案内部材１７の傾斜部１７ａとＩＣカード６０の切欠部６１とが係合することで、ＩＣカード６０の誤挿入が防止される。第１の案内部材１７の基端側上面は、後述するボタン４０の移動を案内する。
【００２６】
第１の側壁１４の後方基端部には、基端方向及び第２の側壁１５に向かって開く第１の案内溝２６ａ（図２参照）が形成される。第１の案内溝２６ａには、後述するボタン４０の第１の突起４６ａが嵌合し、ボタン４０の前後方向への移動を案内する。第１の案内溝２６ａの底面は、第１の案内部材１７の上面と面一に形成されることが好ましい。第１の側壁１４の後方基端部には、さらに、後述するボタン押さえバネ５０を支持する第１の取り付け溝１９ａが形成されている。本実施態様においては、第１の取り付け溝１９ａは、図１に示されるように、案内溝２６ａに平行な部分１９ａ２と該案内溝２６ａに直交する部分１９ａ１を有し、略Ｌ字形に形成されている。取り付け溝１９ａの形状は、これに限られるものではなく、例えば、図６に示される第２の実施態様と同様に、単に、第１の案内溝２６ａに直交する部分１９ａ１のみであってもよい。
【００２７】
第２の側壁１５後方基端部には、第１の側壁１４の第１の案内溝２６ａ、第１の取り付け溝１９ａと対をなす第２の案内溝２６ｂ、第２の取り付け溝１９ｂが形成されている。第２の側壁１５後方には、また、第１の案内部材１７の傾斜部１７ａを含む一部が取り除かれた形状の第２の案内部材２７が形成されている。
【００２８】
なお、誤挿入防止のための傾斜部１７ａは、第２の側壁１５の前方末端部に形成されてもよい。したがって、第１の案内部材１７及び第２の案内部材２７を省略することが可能であり、その場合、ボタン４０は、底壁１２で案内される。
【００２９】
前端壁１６上面には、押え部材としての一対のカード押さえ金具１８、１８が互に平行に設けられている。各カード押さえ金具１８は、末端側が略Ｌ字状に折り曲げられ、先端部分１８ａ、水平部分１８ｂ及び折り曲げられた垂直部分１８ｃに形成される。カード押さえ金具１８の垂直部分１８ｃは、前端壁１６に設けられている第３の取り付け溝１１ａ内に圧入され、それにより、カード押さえ金具１８が前端壁１６に固定される。基端側の水平部分１８ｂは、前端壁１６上面に設けられている凹部１１ｂ内に、水平部分１８ｂの上面が前端壁１６上面と面一になるように嵌め込まれる。基端側の先端部分１８ａは、収容空間に向かって突出している。カード押さえ金具１８の先端部分１８ａは、自由端であって上下方向に変形可能であり、さらに、後方に向かって斜め上方に傾斜していることが好ましい。
【００３０】
前端壁１６下部には、図２に示されるように、底壁１２に形成される末端側長孔１３に対応して前後方向に貫通する固定孔２４が複数形成されている。固定孔２４には、末端側長孔１３に配置されるコンタクト３０の固定部が圧入され、それにより、コンタクト３０がカードコネクタ１０に固定、支持される。
【００３１】
複数のコンタクト３０は、上述したように、底壁１２に形成された長孔１３に配置され、固定溝２２及び固定孔２４を介してカードコネクタ１０に固定、支持される。
【００３２】
コンタクト３０各々は、ＩＣカード６０の外部接点に電気的に接触する接点部３１、弾性変形部３２、固定部（不図示）、及び電子機器８０（図５参照）の外部接点に半田付けなどで接続される端子部３４を含んでいる。各コンタクト３０は、コンタクト３０の接点部３１及び弾性変形部３２が長孔１３内に配置され、端子部３３がカードコネクタ１０の前後方向に突出するように、その固定部を固定溝２２及び固定孔２４に圧入することで、カードコネクタ１０に固定、支持される。また、コンタクト３０の接点部３１は、カードコネクタ１０の底壁１２上面から上方に突出するように配置される。
【００３３】
ボタン４０は、カードコネクタ１０の基端側において、第１の側壁１４及び第２の側壁１５の間で前後方向に移動可能に設置され、装着されるＩＣカード６０をカードコネクタ１０に保持すべく機能する。
【００３４】
ボタン４０は、図２に詳細に示されるように、左右方向に細長い、長方体形状をなしており、概略、頂面４１、底面４９、前面４３、後面４７及び左右の側面４６、４６を含んでいる。
【００３５】
ボタン４０の頂面４１前端部は、前方に向かって下方に傾斜する傾斜面４２として形成されている。本実施態様においては、該傾斜面４２は、ＩＣカード６０の切欠部６１が対応する第１の案内部材１７の上方には形成されていない。傾斜面４２は、前面４３より前方に突出しており、水平段部４３ａを介して前面４３と連結されている。水平段部４３ａ及び前面４３とでＩＣカード６０の先端部が収容される収容空間が形成される。水平段部４３ａは、ＩＣカード６０が装着されたとき、ＩＣカード６０の先端部を抑えるように働く（図３（ｄ）参照）。したがって、水平段部４３ａと前面４３は、直角に交差していることが好ましい。
【００３６】
ボタン４０の後面４７上方の略中央部には、後述するボタン押さえバネ５０の当接凸部５１の組み込みを容易にするための円弧状凹面４４が形成されている。後面１６の円向上凹面４４の下方には、ボタン押さえバネ５０の当接凸部５１が当接する略円弧状の当接面４５が形成される。当接面４５は、円弧状凹面４４より幅が広く形成される。したがって、本実施態様においては、当接面４５の曲率半径は、円弧状凹面４４の曲率半径より大きい。また、当接面４５の深さは、円弧状凹面４４の深さより大きい。なお、凹面４４及び当接面４５は、必ずしも円弧状である必要性はなく、凹形状であればどのような形状であってもよい。
【００３７】
ボタン４０の底面４９は、概ね、底壁１２上面に接して移動する。本実施態様においては、ボタン４０の底面４９は、図２に示されるように、該底面４９の左右両側、すなわち、左右の側壁４６、４６の近傍において、底面４９より若干上方に段差を介して第１の案内用底面４８ａ及び第２の案内用底面４８ｂが形成される。第１の案内用底面４８ａ及び第２の案内用底面４８ｂは、それぞれ、カードコネクタ１０の第１の側壁１４及び第２の側壁１５からＩＣカード収容区間に向かってそれぞれ突出する第１の案内部材１７及び第２の案内部材２７の上面に接して移動する。
【００３８】
ボタン４０の左右の側面４６、４６には、第１の突部４６ａ及び第２の突部４６ｂが形成される。第１の突部４６ａ及び第２の突部４６ｂは、上述したように、第１の側壁１４及び第２の側壁１５にそれぞれ形成されている第１の案内溝２６ａ及び第２の案内溝２６ｂ内に嵌まりこみ、ボタン４０の前後方向の移動を案内する。
【００３９】
ボタン押さえバネ５０は、ボタン４０を前方、すなわち、前進位置に付勢するように作用する部材である。ボタン押さえバネ５０は、また、カードコネクタ１０に組み込まれたとき、ボタン４０の後方への移動、すなわち、後退位置を規制する。
【００４０】
ボタン押さえバネ５０は、本実施態様では、図２に示されるように、略Ｍ字形状をしている。ボタン押さえバネ５０は、概ね、中央に位置し、前方に向かって突出する当接凸部５１、該当接凸部５１の左右に位置する第１の弾性変形部５２ａと第２の弾性変形部５２ｂ、及び左右両端に位置する第１の取り付け部５３ａと第２の取り付け部５３ｂを含んでいる。
【００４１】
第１の取り付け部５３ａと第２の取り付け部５３ｂは、略直角に折り曲げられ、カードコネクタ１０の第１の側壁及び第２の側壁１５にそれぞれ形成されている第１の取り付け溝１９ａ及び第２の取り付け溝１９ｂに嵌め込まれる。第１の取り付け部５３ａと第２の取り付け部５３ｂは、複数の圧入突起５４を有し、第１の取り付け溝１９ａ及び第２の取り付け溝１９ｂ内に形成される圧入孔（不図示）内に圧入され、カードコネクタ１０に固定されることが好ましい。
【００４２】
以上のような構成を有するカードコネクタ１０へのＩＣカード６０の装着、取り外しに付き、図３及び図４を用いて説明する。
【００４３】
図４（ａ）に示されるように、ＩＣカード６０がカードコネクタ１０に装着されていない時点においては、ボタン４０は、ボタン押さえバネ５０の付勢力により末端方向に前進している。すなわち、ボタン４０は、前進位置にある。
【００４４】
図３（ａ）及び図４（ａ）に示されるように、ＩＣカード６０の一端（本実施態様では、切欠６１が形成されていない側の端部）を、カードコネクタ１０の基端側斜め上方から、並列するカード押さえ金具１８、１８とカードコネクタ１０の底壁１２との間に引っ掛ける。
【００４５】
次に、ＩＣカード６０の上記先端を支点として、ＩＣカード６０の他端をボタン４０に向けて下降させる。このときの操作としては、ＩＣカード６０の上面に指先を当て、ＩＣカード６０を下方に向けて押し込むだけでよい。ＩＣカード６０の他端は、図４（ｂ）に示されるように、ボタンの傾斜面４２に係合する。ＩＣカード６０の他端をさらに下方に向けて押し下げると、ＩＣカード６０の他端がボタン４０の傾斜面４２に沿って下降することで、ボタン４０は、ボタン押さえバネ５０の付勢力に抗して後方に後退する。
【００４６】
図４（ｃ）に示されるように、ＩＣカード６０が底壁１２に達するまで押し下げられると、図３（ｂ）に示されるように、ボタン４０は後退位置に達する。この時、ボタン４０は、ＩＣカード６０との係合から解放され、ボタン押さえバネ５０の付勢力により元の前進位置まで戻る。それにより、ＩＣカード６０の他端は、ボタン４０の水平段部４３ａに係合し、保持される。結果として、ＩＣカード６０のカードコネクタ１０への装着が完了したことになる。この時、コンタクト３０の接点部３１は、弾性変形部３２を介して下方に弾性変形する。それにより、コンタクト３０の接点部３１は、ＩＣカード６０の外部接点と所定の接圧を有して電気的に接触する。
【００４７】
逆に、ＩＣカード６０をカードコネクタ１０から取り外すときは、ボタン４０をボタン押さえバネ５０の付勢力に抗して後退位置まで後退させる。それにより、ＩＣカード６０の他端は、ボタン４０の水平段部４３ａの係合から解放される。この時、コンタクト３０の弾性力により、ＩＣカード６０の他端は、該ＩＣカード６０の一端を支点として上方に押し上げられる。その結果、ＩＣカード６０は、図３（ａ）に示されるように、傾斜した状態となり、該ＩＣカード６０の他端を掴むことでカードコネクタ１０から容易に取り外すことが可能となる。
【００４８】
（第２の実施態様）
本実施態様における電子回路素子接続具が、図６に示される。本実施態様における電子回路素子接続具は、電子回路素子としてのＩＣパッケージ１６０が装着されるＩＣソケット１１０である。
【００４９】
本実施態様におけるＩＣソケット１１０は、実質的に上述した第１の実施態様でカードコネクタ１０と同様の構造を備えている。
【００５０】
すなわち、ＩＣソケット１１０は、複数のコンタクト１３０、１３０ａ、ボタン１４０及びボタン押さえバネ１５０を含んでいる。また、ＩＣソケット１１０は、底壁１１２、該底壁１１２左右端部から上方に延在する第１の側壁１１４及び第２の側壁１１５、及び底壁１２の前端から上方に延在する前端壁１１６を有し、これらの壁１１２、１１４、１１５、１１６及び底壁１１２の後端部に設けられるボタン１４０とでＩＣパッケージ１６０を収容するカード収容空間を形成している。
【００５１】
以下、上記第１の実施態様と相違する構成を中心に本実施態様について説明する。
【００５２】
本実施態様では、押さえ部材として、押さえ突起１１８が前端壁１１６と一体に形成されている。
【００５３】
本実施態様では、図６及び図７に示されるように、複数のコンタクト１３０、１３０ａがそれぞれ２列ずつ計４列平行に底壁１１２に配置される。複数のコンタクト１３０、１３０ａのこのような配置を可能とするために、底壁１１２には、２つの平行した矩形状の開口１２０が開けられている。本実施態様では、さらに、スリット１１３が、矩形状の開口１２０の前後方向に対向する２つの開口辺に沿って、前後方向に平行に延在するように、複数形成されている。コンタクト１３０は、それぞれスリット１１３内に配置される。また、本実施態様では、底壁１１２の後方基端部に、後述するボタン押さえバネ１５０両端を支持固定する取り付け溝１１９、１１９（図６では第１の側壁１１４の側の一方のみ示されている。）が、第１の側壁１１４及び第２の側壁１１５にそれぞれ形成される第１の案内溝１２６ａ及び第２の案内溝１２６ｂに直交するように形成されている。
【００５４】
左右の第１の側壁１１４及び第２の側壁１１５それぞれの前後方向中間部には、係止爪１２８を有する一対の係合部材１２７、１２７が配置される。一対の係合部材１２７、１２７は、弾性変形できるように底壁１１２から突出形成される。図６に示されるように、一対の係合部材１２７、１２７が弾性変形して左右に開くことが可能なように、第１の側壁１１４及び第２の側壁１１５には、対をなす凹部１２９が形成される。それにより、一対の係合部材１２７、１２７それぞれの背後には、変形用空間が形成される。各係合部材１２７の係止爪１２８は、それぞれの係合部材１２６からカード収容空間内に突出し、図６に示されるように、傾斜面１２８ａ及び段部１２８ｂを含んでいる。係止爪１２８の傾斜面１２８ａは、ＩＣカード１６０を装着するとき、ＩＣパッケージ１６０を下方に押し下げる動作と協働して、一対の係合部材１２６、１２６を左右に開くことができる。また、係止爪１２８の段部１２８ｂは、ＩＣパッケージ１６０が完全に装着されたとき、ＩＣパッケージ１６０を保持し、コンタクト１３０の弾性力によるＩＣパッケージ１６０の変形を防止する。なお、ＩＣカードを取り外すときは、一対の係合部材１２７、１２７を左右に開けばよい。
【００５５】
本実施態様では、一対の係合部材１２７、１２７の上端部は、各側壁１１４、１１５の上面より上に位置しているが、この構成に限定されるものではない。例えば、一対の係合部材１２６、１２６は、各側壁１１４、１１５と同じ高さであってもよい。要は、ＩＣパッケージ１６０を取り外すとき、一対の係合部材１２６、１２６を開くことができればよい。なお、一対の係合部材１２６、１２６は、ＩＣパッケージ１６０が大きい場合に特に有効であり、ＩＣぱっけーじ１６０が小さい場合、第１の実施態様のように、省略されてもよい。
【００５６】
複数のコンタクト１３０、１３０ａは、上述したように、底壁１１２に４列に設けられたスリット１１３内に配置される。本実施態様における複数のコンタクト１３０、１３０ａは、図７に示されるように、最前端の列及び最後端の列に配置されるコンタクト１３０と内側の２列に配置されるコンタクト１３０ａとは若干構造が相違する。
【００５７】
最前端の列及び最後端の列に配置されるコンタクト１３０それぞれは、第１の実施態様におけるコンタクト３０と略同じ形状であり、接点部１３１、弾性変形部１３２、固定部１３３及び端子部１３４を有する。最前端の列及び最後端の列に配置されるコンタクトそれぞれは、各固定部１３３を底壁１１２に設けられたスリット１１３に続く固定孔１２４及び１２２に圧入され、ＩＣソケット１１０に固定される。
【００５８】
内側の２列に配置されるコンタクト１３０ａ各々も、接点部１３１ａ、弾性変形部１３２ａ、固定部１３３ａ及び端子部１３４ａを有する点では最前端の列及び最後端の列に配置されるコンタクト１３０と同じである。しかしながら、内側の２列に配置されるコンタクト１３０ａ各々は、接点部１３１ａが固定部１３３ａまたは端子部１３４ａの上方に位置するように、弾性変形部１３２ａと固定部１３３ａとの間で湾曲状に折り返されている。複数のスリット１１３にそれぞれ配置される複数のコンタクト１３０、１３０ａのそれぞれの接点部１３１、１３１ａが底壁１１２から上方に突出している点は、第１の実施態様と同じである。
【００５９】
本実施態様におけるボタン１４０も、基本的には、第１の実施態様と同じ構成を備え、第１の側壁１１４及び第２の側壁１１５間に延在し、前後方向に移動可能に構成されている。該ボタン１４０は、ボタン押さえバネ１５０により前方方向に付勢されている点も第１の実施態様と同じである。
【００６０】
本実施態様におけるボタン１４０は、概ね、左右方向に細長い直方体をなしており、頂面１４１にボタン１４０を前後方向に駆動し得る操作部材１４１ａが設けられている。ボタン１４０には、また、頂面１４１から前面１４３にかけて、第１の実施態様と同じく、末端方向下方に向けて傾斜する傾斜面１４２及びＩＣパッケージ１６０を保持するために水平段部１４３ａが設けられている。ボタン１４０の後面下方には、ボタン押さえバネ１５０の当接凸部１５１、１５１が当接する凹面１４５が形成されている。
【００６１】
ボタン１４０は、さらに、両側部に第１の突部１４６ａ及び第２の突部１４６ｂを有する。該第１の突部１４６ａ及び第２の突部１４６ｂは、それぞれ、第１の側壁１１４に形成されている案内溝１２６ａ及び第２の側壁１１５に形成されている案内溝１２６ｂに前後方向に摺動可能に嵌め込まれ、ボタン１４０の前後方向の移動を案内する。
【００６２】
次に、ボタン押さえバネ１５０は、本実施態様では、略Ｗ字形をなしており、２つの当接凸部１５１、１５１がボタン１４０の凹面１４５に当接し、ボタン１４０を前方に向かって付勢している。ボタン押さえバネ１５０の両端部は、底壁１１２に形成されている一対の取り付け溝１１９、１１９に支持される。ボタン押さえバネ１５０の両端部は、底壁１１２から上方に突出し、ボタン１４０の後退を規制するように構成されてもよい。
【００６３】
以上のような構成を有するＩＣソケット１１０へのＩＣカード１６０の装着は、上記実施態様と略同じようにして実行することができるので、ここでは説明を省略する。また、ＩＣソケット１１０からＩＣパッケージ１６０を取り外すときは、一対の係合部材１２７を左右に開くと同時に、ボタン１４０を後方に後退させる。それにより、ＩＣパッケージ１６０は、係止爪１２８、１２８及びボタン１４０との係合が解除され、コンタクト１３０の復帰力により、図６、７に示されるように、傾斜状態になる。したがって、ＩＣソケット１１０からＩＣパッケージ１６０を容易に取り外すことができる。
【００６４】
以上、本明細書では、２つの実施態様について説明したが、本発明は、これらの２つの実施態様の構成に限られるものではなく、本発明は、これら２つの実施態様の構成の組み合わせを含め、いろいろな変更を含み得る。
【図面の簡単な説明】
【００６５】
【図１】本発明に係る第１の実施態様としてのカードコネクタの概略上面図である。
【図２】図１のカードコネクタのボタン及びボタン押えバネの組み立てを説明するための概略斜視図である。
【図３】電子回路素子としてのＩＣカードを図１のカードコネクタに装着する様子を説明するためのカードコネクタの概略斜視図であり、（ａ）は、ＩＣカードがカードコネクタに差し込まれたとき、（ｂ）は、ＩＣカードが上面から押し込まれたとき、（ｃ）は、ＩＣカードがカードコネクタに装着されたときを示す。
【図４】ＩＣカードを図１のカードコネクタに装着するときのボタンの移動の様子を説明するための要部拡大断面図であり、（ａ）は、ＩＣカードがカードコネクタに差し込まれたとき、（ｂ）は、ＩＣカードが上面から押し込まれ、ボタンが移動する直前、（ｃ）は、ＩＣカードがボタンを移動させ、カードコネクタ内に完全に押し込まれたとき、（ｄ）は、ＩＣカードがカードコネクタに装着されたときを示す。
【図５】電子回路素子としてのＩＣカードを装着したカードコネクタが携帯電話機に装填されている状態を示す概略斜視図である。
【図６】本発明に係る第２の実施態様としてのＩＣソケットの概略斜視図である。
【図７】図６に示されるＩＣソケットのＡ−Ａ概略断面図である。
【符号の説明】
【００６６】
１０              カードコネクタ
１２              底壁
１４              第１の側壁
１５              第２の側壁
１６              前端壁
１７              第１の案内部材
１８              カード押さえ金具（押さえ部材）
２７              第２の案内部材
３０、１３０      コンタクト
４０、１４０      ボタン
４１、１４１      頂面
４２、１４２      傾斜面
４３、１４３      前面
４５、１５４      凹面
５０、１５０      ボタン押さえバネ
５１、１５１      当接凸部
６０、１６０      ＩＣカード
１１０            ＩＣソケット
１１８            カード押さえ突起（押さえ部材）
１２７            係合部材
【図１】
2007141614.tif 000003
【図２】
2007141614.tif 000004
【図３】
2007141614.tif 000005
【図４】
2007141614.tif 000006
【図５】
2007141614.tif 000007
【図６】
2007141614.tif 000008
【図７】
2007141614.tif 000009